(57)【要約】      （修正有）【課題】壁面が石膏ボードのような脆弱な材質であっても、強固に、また、容易且つ確実に取り付けることができる壁面に対するベース材の固定方法および、外観的に良好となる家具類としての長押レールを提供する。【解決手段】壁面Ｗに対する取付けの基礎となるベース材１をアルミ等の押出成形により帯板状とするとともに、その上に上部傾斜壁７ａと下部傾斜壁７ｂとからなる山形屈折リブ７を突設し、且つ、上部傾斜壁の内面に下部傾斜壁と平行に内突条１３を突設することにより、下部傾斜壁と内突条との間にピン通し可能な案内となる傾斜細溝２０を設け、上部傾斜壁には、傾斜細溝にその傾斜に沿って通し得る少なくとも左右一対のピン孔１７を穿設しておき、壁面に対する取付けについて、左右一対のピン孔にピンを下向き傾斜であると同時に左右間を閉じるＶ字型ピン傾斜若しくは開くハ字型ピン傾斜において壁面に刺しこむことによりベース材をピン止めする。【選択図】図１
2014070471.tif 000002
【特許請求の範囲】
【請求項１】
壁面に対する取付けの基礎となるベース材をアルミ等の押出成形により帯板状とするとともに、その上に上部傾斜壁と下部傾斜壁とからなる山形屈折リブを突設し、且つ、上部傾斜壁の内面に下部傾斜壁と平行に内突条を突設することにより、下部傾斜壁と内突条との間にピン通し可能な案内となる傾斜細溝を設け、上部傾斜壁には、傾斜細溝にその傾斜に沿って通し得る少なくとも左右一対のピン孔を穿設しておき、壁面に対する取付けについて、左右一対のピン孔にピンを下向き傾斜であると同時に左右間を閉じるＶ字型ピン傾斜若しくは開くハ字型ピン傾斜において壁面に刺しこむことによりベース材をピン止めすることを特徴とする壁面に対するベース材の固定方法。
【請求項２】
請求項１記載の固定方法により壁面に取り付けるアルミ押出形材のベース材と、これに二つ合わせに重なる同じくアルミ押出形材のカバー材との組合せであって、この二つ合わせの両端を封じるエンドキャップを具備してなり、二つ合わせにより中空となるようにベース材の下端部に下部レール部片が、カバー材の上端に上部レール部片がそれぞれ相互に相手材側へ凸に形成され、ベース材の下端部に、下部レール部片の突設によりフックが係合する蟻溝レールが形成され、カバー材の上端部に上部レール部片の突設により衣紋掛けとなる凹溝レールが形成され、また、ベース材には、壁面にピン止めして取り付ける前記固定方法による固着手段を前記中空に納まるように具備してなることを特徴とする長押レール。
【請求項３】
前記固着手段は、ベース材に、前記中空に位置する幅箇所に三角形の二等辺に屈折する上下傾斜壁からなる山形屈折リブを形成してなり、ベース材の少なくとも左右両端部にそのピン止めの止着エリアを設定し、各止着エリアでは、下部傾斜壁と内突条との間の傾斜細溝を通すピン孔を一対又は数対において設け、各止着エリアにおいて、斜ピンをピン孔から下向き傾斜で且つ横向き傾斜に壁面に刺し付け得るよう、ピン孔を溝方向の長孔に形成したことを特徴とする請求項２記載の長押レール。
【請求項４】
ベース材に、山形屈折リブを上下二段に間隔をおいて設け、各止着エリアにおいて、両リブ間の凹底面に垂ピンを真っ直ぐに壁面に刺しつける垂ピン孔と、補助ビスを通すネジ通し孔とを設けたことを特徴とする請求項３記載の長押レール。
【発明の詳細な説明】
【技術分野】
【０００１】
この発明は、室内の壁面に取り付ける家具類のベース材の固定方法、およびその固定方法で取り付けられる家具類としての長押レールに関する。
【背景技術】
【０００２】
従来、複数部材からなる複合材（家具類）のベース部材を壁面に取り付けるには、一般的にビスによるネジ止めや釘による打ち付けの方法が用いられていた。長押レールにおいても同じであった。
【０００３】
長押レールは、室内の壁面等が物を掛ける場所として有効に利用できるように工夫されたもので、これには特許文献１を挙げることができる。同文献の場合であると、ネジ５２で壁面５４に固定するベース材５０と、その下端部にビス止めされる断面蟻溝形のレール部材５６と、ベース材５０の前面を覆う化粧板５８とからなる複合材であり、ベース材５０の上端に壁面との間に空間６０を隔てて衣紋掛け等の起立片６２が形成され、下端のレール部材５６にはフック６４が係合するレール部材５６が組み付けられる。
【先行技術文献】
【特許文献】
【０００４】
【特許文献１】特開平２００１−２４８２９２号公報
【発明の概要】
【発明が解決しようとする課題】
【０００５】
上記のような従来の長押レールによれば、ベース材５０が取付けのベースとなるものであるが、それがビス５２により壁面に取り付けられるので、壁面５４が石膏ボード等の脆弱な材質であると、ビス５２のネジが効かなく脱落するおそれがあり不安定となるという問題があった。この点については、本出願人において、数々の実験からビスよりも細いピン止めであると、石膏ボードに強力に固定できるという知見を得ていた。しかし、細いピンでは一般的にその固定強度に信頼性が得られないという既成概念があった。
【０００６】
また、引用文献の場合、ベース材５０は木質であるのに対して、化粧板５８は、アルミ押出形材であるので、製造上その組合せと接着のため一体化が困難であり手数がかかり、レール部材５６の取付けもネジ止めが伴い量産的には簡単ではなかった。
【０００７】
この発明は、上記のような実情に鑑みて、壁面が石膏ボードのような脆弱な材質であっても、家具類のベース材をピン止めにより強固に、また、容易且つ確実に取り付けることができる壁面に対するベース材の固定方法を提供すること、また加えて、その固定方法により取り付けられるベース材にカバー材の組合せとして、その組立ても容易であり、さらに、細いピンでも強度的な信頼性が得られやすく、外観的にも良好となる家具類としての長押レールを提供することを課題とした。
【課題を解決するための手段】
【０００８】
上記の課題を解決するために、第１発明は、壁面に対する取付けの基礎となるベース材をアルミ等の押出成形により帯板状とするとともに、その上に上部傾斜壁と下部傾斜壁とからなる山形屈折リブを突設し、且つ、上部傾斜壁の内面に下部傾斜壁と平行に内突条を突設することにより、下部傾斜壁と内突条との間にピン通し可能な案内となる傾斜細溝を設け、上部傾斜壁には、傾斜細溝にその傾斜に沿って通し得る少なくとも左右一対のピン孔を穿設しておき、壁面に対する取付けについて、左右一対のピン孔にピンを下向き傾斜であると同時に左右間を閉じるＶ字型ピン傾斜若しくは開くハ字型ピン傾斜において壁面に刺しこむことによりベース材をピン止めすることを特徴とする壁面に対するベース材の固定方法を提供する。
【０００９】
また、第２発明は、それぞれアルミ等の押出による帯板状であり、壁面に取り付けるベース材と、これに二つ合わせに重なるカバー材との組合せであって、この二つ合わせの両端を封じるエンドキャップを具備してなり、二つ合わせにより中空となるようにベース材の下端部に下部レール部片が、カバー材の上端に上部レール部片がそれぞれ相互に相手材側へ凸に形成され、ベース材の下端部に、下部レール部片の突設によりフックが係合する蟻溝レールが形成され、カバー材の上端部に上部レール部片の突設により衣紋掛けとなる凹溝レールが形成され、また、ベース材には、壁面にピン止めして取り付ける固着手段を前記中空に納まるように具備してなることを特徴とする長押レールを提供する。
【００１０】
上記の構成によれば、家具類のベース材を壁面に取り付けるには、ピンを荷重に耐えやすい下向き傾斜であると同時に抜けがたい左右間を閉じるＶ字型ピン傾斜若しくは開くハ字型ピン傾斜の交差打ち込みとなるもので、ピンを引き抜かない限り決して外れない強固な耐荷重強度を保持する。しかも、このようなピンの言わば二次元傾斜の交差打ちがベース材の山形屈折リブにおける構造により誘導される。
【００１１】
長押レールの場合、ベース材をピン止めによる固着手段により固定してから、これにカバー材を組み合わせながら両端にエンドキャップを嵌着する。そうすると、上端に衣紋掛け等を掛け得る凹溝レールが、下端にフック等を掛ける蟻溝レールが具備される。
【００１２】
また、ピン止めによる固着手段は中空に納まり外観には見えない。しかし、全体から見て薄いベース材がピン止めの直接対象となるから、ピン止めで荷重に耐えやすい。また、ピン刺しにより壁面を傷めることもなく、ベース材にピン止めが効きやすい。
【発明の効果】
【００１３】
以上説明したように、この発明によれば、壁面が石膏ボードのような脆弱な材質であっても、ベース材を固定基板として強固に且つ確実に取り付けることができ、それに簡単な作業により単なるピン止めでは想定されない強い耐荷重性を付与できる。
【００１４】
加えて、長押レールでは、接着手数を要せずベース材とカバー材との組合せとして、その組立ても容易であり、さらに、ピンによる固着手段が中空内に納まることで細いピンでも強度的な信頼性が得られやすく、外観的にも良好であるという優れた効果もある。
【図面の簡単な説明】
【００１５】
【図１】この発明の要部を示す長押レールの一部分解した斜視断面図である。
【図２】同長押レールの使用状態を示す壁面に組み立てた正面図である。
【図３】図２のＡ−Ａ線矢視の拡大断面図である。
【図４】壁面に対するベース材のピン止め要領を示す横断面図である。
【図５】ベース材を断面図と並列して示す正面図において、ピンの交差刺し方を示すこの発明の説明図である。
【図６】従来例の説明図である。
【発明を実施するための形態】
【００１６】
この発明においては、ベース材１の固着手段としてピンを使用するが、それを少なくとも下向き斜めにおいて使用することにより非常に強力な固定状態が得られる。しかし、下向き斜めだけでは上に抜けやすいという問題が残ることになる。そこで、次の通り基本的に左右一対のピン１５，１５の使用で抜け防止の問題を解決することができる（図５）。
【００１７】
図５は、ベース材１の正面図を断面図と並列して示し、後記するように、山形屈折リブ７，７の個所に左右一対を最少単位としてピン孔１７、１７を設けることにより、左右一対に斜ピン１５，１５を使用する状態を示す。
両方とも一対で上向への抜けが防止され耐荷重の刺し方であるが、左側の場合、左右一対の斜ピン１５，１５が「Ｖ字型」交差の場合であり、右側は、「ハ字型」交差で抜け防止効果が確実となる。実施例において、この刺し方を容易になし得ることを説明する。
【実施例】
【００１８】
長押レールＰは、それぞれアルミ押出形材からなるベース材１と、それに二つ合わせで前面となるカバー材３と、その組合せを保持するよう両端に嵌着されるエンドキャップ５，５とからなる。また、ベース材１を壁面Ｗに固着するために、主要ピンとして前記の通り斜めの刺し方となる斜ピン１５が用いられ、そのほか、普通の刺し方となる垂ピン１６やビス２３も補助的に使用される。
【００１９】
ベース材１は、壁面Ｗに接合する板状において上下２段に山形屈折リブ７，７が設けられ、下端部にフック９，９、・・が係合する蟻溝レール１１ａが下方開放型に形成され、この形成のために、板状下端部から逆略Ｌ字形の下部レール部片１１が突設される。両山形屈折リブ７，７は、三角形の二等辺からなる山形の屈折形状に形成され、その二等辺に相当する上下傾斜壁７a、７bからなっている。そして、上部傾斜壁７aの下端部に下部傾斜壁７ｂと並列して内突条１３が形成され、その並列間が斜ピン１５が通る案内となる傾斜細溝２０となっている。
【００２０】
ベース材１の両端部には、ピン止めの協力連繋体制がとられるよう仮想のピン止めエリアＥ，Ｅが設けられる。そのピン止めエリアＥにおいては、山形屈折リブ７，７にそれぞれ上部傾斜壁７aにおいて左右一対ずつ斜ピン１５，１５のピン孔１７，１７が開けられ、斜ピン１５を斜めに通し得るよう横長に形成される。従って、斜ピン１５は、下方向の斜めは傾斜細溝２０の案内により、左右方向の斜めはピン孔１７の長孔と細溝２０との案内とにより容易になし得る。さらに、ピン止めエリアＥにおいては、上下山形リブ７，７の間の凹底面１８に垂ピン１６の通し孔としての垂ピン孔２１と、ビス２３の通し孔２５とが隣合わせに設けられる。ピンを下向き傾斜であると同時に左右間を閉じるＶ字型ピン傾斜若しくは開くハ字型ピン傾斜において壁面に刺しこむ
【００２１】
ベース材１には、カバー材３との組合せのために、上端に壁面Ｗに対して離反する断面Ｌ字形の掛止片２７が形成される。また、下端では前記した下部レール部片１１が帯状下端部近くより引っ込み傾斜に形成されカバー材３の受けとして形成してある。
【００２２】
カバー材３は、ベース材１の前面を被覆しやや上に広い帯板状であって、その上端部に前記掛止片２７に係合する略倒伏Ｔ字形の上部レール部片３７を突設し、板状上部との間に衣紋掛け４０等の凹溝レ―ル３９が形成され、同部片３７の先端下部が掛止片２７との結合片として形成される。また、帯板の下端部近くには、先端部が下部レール部片１１に係る下向き屈折の下部突片４１が突設される。したがって、ベース材１に対してカバー材３は上からの掛け合わせとなる（図１矢印参照）。
【００２３】
両キャップ５，５は、ベース材１とカバー材３との組合せ端面に当たる矩形の面板であって、ベース材１に対しては両山形屈折リブ７，７間に差し合う幅広片４５と傾斜細溝２０，２０に差し込まれる細片４７，４７と、両山形リブ７，７の上に差し合う押え片４９が突設される他、蟻溝レール１１に差し込まれる楔片５１が突設される。こうした結合によりキャップ５，５がベース材１，１に定着され、その間にカバー材３，３が挟まれその重みによりベース材１との係合、つまり組立て状態が保持される。
【００２４】
そこで、装着するには、ベース材１を壁面Ｗに固着してから、その両端にエンドキャップ５，５を嵌着するとともに、ベース材１の上端の掛止片２７と下端の下部レール部片１１に上端突片３７および下部突片４１をそれぞれ掛けながら、両エンドキャップ５，５の間にカバー材３を挟んでベース材１に二つ合わせに保持することができる。
【符号の説明】
【００２５】
Ｐ  長押レール
Ｅ  止着エリア
Ｗ  壁面
１  ベース材
３  カバー材
５  エンドキャップ
７  山形屈折リブ
７ａ  上部傾斜壁
７ｂ  下部傾斜壁
９  フック
１１  下部レール部片
１１ａ  蟻溝レール
１３  内突条
１５  斜ピン
１６  垂ピン
１７  ピン孔
１８  凹底面
２０  傾斜細溝
２１  垂ピン孔
２３  ビス
２５  通し孔
２７  掛止片
３７  上部レール部片
３９  凹溝レール
４０  衣紋掛け
４１  下部突片
４５  幅広片
４７  細片
４９  押え片
５０  ベース材
５１  楔片
５２  ビス
５４  壁面
５６  レール部材
５８  化粧板
６０  空間
６２  起立片
６４  フック
【図１】
2014070471.tif 000003
【図２】
2014070471.tif 000004
【図３】
2014070471.tif 000005
【図４】
2014070471.tif 000006
【図５】
2014070471.tif 000007
【図６】
2014070471.tif 000008